(57)【要約】【課題】信号側インダクタのインダクタンスと、グランド側インダクタのインダクタンスと、信号側インダクタおよびグランド側インダクタを接続する容量とを独立して設定可能であり、且つ、各ＬＣフィルタの電気特性を一致させることが可能な多連型ＬＣフィルタを提供する。【解決手段】複数の絶縁体層が積層された積層体と、その表面にグランド端子および一対の入出力端子と、信号側インダクタと、グランド側インダクタとを有するＬＣフィルタが、積層体内に複数個併設されている多連型ＬＣフィルタとする。信号側インダクタのインダクタンスと、グランド側インダクタのインダクタンスと、両者を接続する容量とを独立して設定可能とし、所望の電気特性を有する多連型ＬＣフィルタとすることができる。【選択図】図２
2006311506.tif 000002
【特許請求の範囲】
【請求項１】
複数の絶縁体層が積層された積層体と、
該積層体の表面に形成されたグランド端子および一対の入出力端子と、
前記積層体内に形成され、その両端が前記一対の入出力端子にそれぞれ接続された信号側インダクタと、
前記積層体内に形成され、前記一対の入出力端子の少なくとも一方と接続された容量電極と、
前記積層体内に形成され、前記容量電極と前記絶縁体層を介して対向するグランド電極と、
前記積層体内に形成され、その一端が前記グランド電極に接続され、他端が前記グランド端子に接続されたグランド側インダクタと
を有することを特徴とするＬＣフィルタ。
【請求項２】
請求項１に記載のＬＣフィルタが前記積層体内に複数個併設されていることを特徴とする多連型ＬＣフィルタ。
【請求項３】
前記複数個のＬＣフィルタは、隣接して併設される第１、第２のＬＣフィルタを含み、前記第１のＬＣフィルタのグランド側インダクタと前記第２のＬＣフィルタのグランド側インダクタとが共有化されていることを特徴とする請求項２に記載の多連型ＬＣフィルタ。
【請求項４】
前記第１のＬＣフィルタのグランド電極と前記第２のＬＣフィルタのグランド電極とが接合部を介して接合され、前記接合部と前記グランド側インダクタの一端とがグランド側ビアホール導体を介して接続されていることを特徴とする請求項３に記載の多連型ＬＣフィルタ。
【請求項５】
前記第１のＬＣフィルタの容量電極とグランド電極との平面視における重なり領域の中心点から前記接合部と前記グランド側ビアホール導体との接続点までの距離と、前記第２のＬＣフィルタの容量電極とグランド電極との平面視における重なり領域の中心点から前記接続点までの距離とが等しいことを特徴とする請求項４に記載の多連型ＬＣフィルタ。
【請求項６】
前記第１のＬＣフィルタと前記第２のＬＣフィルタとで共有化されている前記グランド側インダクタは、その一端が分割された第１端部と第２端部とを有し、前記第１端部が前記第１のＬＣフィルタのグランド電極に、前記第２端部が前記第２のＬＣフィルタのグランド電極にそれぞれ接続され、且つ、前記第１端部の長さと前記第２端部の長さとを等しくしたことを特徴とする請求項３に記載の多連型ＬＣフィルタ。
【発明の詳細な説明】
【技術分野】
【０００１】
本発明は、デジタル機器より発生する不要な輻射ノイズの低減などに用いられるＬＣフィルタに関し、特に、１つの積層体内に複数のフィルタ素子が併設された多連型ＬＣフィルタに関するものである。
【背景技術】
【０００２】
デジタル機器より発生する不要な輻射ノイズの低減に用いるノイズフィルタとして、一対の入出力端子間を接続する信号側インダクタと、一端がグランド端子に接続されたグランド側インダクタとを容量によって接続して構成したＬＣフィルタが従来から用いられていた。
【０００３】
そして、近年の電子機器の小型化によって、電子機器に搭載する部品に対する小型化・高機能化の要求が高まり、複数のＬＣフィルタを同一積層体内に収納した多連型ＬＣフィルタが多用されるようになって来た。
【０００４】
ところが、従来の多連型ＬＣフィルタにおいては、グランド側インダクタの開放端からグランド端子までの線路長が各ＬＣフィルタの間で一致しないという構造上の不具合によって、各グランド側インダクタのインダクタンスが一致せず、それによって各ＬＣフィルタの電気特性が一致しないという問題を有していた。
【０００５】
そこで本発明者は、各グランド側インダクタのインダクタンスを一致させることができ、それによって各ＬＣフィルタの電気特性を一致させることが可能な多連型ＬＣフィルタを提案した（例えば、特許文献１を参照。）。
【特許文献１】特開２００１−６０８４０号公報（図１）
【発明の開示】
【発明が解決しようとする課題】
【０００６】
しかしながら、上述した従来の多連型ＬＣフィルタにおいては、信号側インダクタのインダクタンスと、グランド側インダクタのインダクタンスと、信号側インダクタとグランド側インダクタを接続する容量とを独立して設定することが困難であり、所望の電気特性を得ることが難しいという問題を有していた。
【０００７】
本発明は上記課題に鑑み案出されたものであり、その目的は、信号側インダクタのインダクタンスと、グランド側インダクタのインダクタンスと、信号側インダクタとグランド側インダクタを接続する容量とを独立して設定可能であり、且つ、各ＬＣフィルタの電気特性を一致させることが可能な多連型ＬＣフィルタを提供することにある。
【課題を解決するための手段】
【０００８】
本発明のＬＣフィルタは、複数の絶縁体層が積層された積層体と、該積層体の表面に形成されたグランド端子および一対の入出力端子と、前記積層体内に形成され、その両端が前記一対の入出力端子にそれぞれ接続された信号側インダクタと、前記積層体内に形成され、前記一対の入出力端子の少なくとも一方と接続された容量電極と、前記積層体内に形成され、前記容量電極と前記絶縁体層を介して対向するグランド電極と、前記積層体内に形成され、その一端が前記グランド電極に接続され、他端が前記グランド端子に接続されたグランド側インダクタとを有することを特徴とするものである。
【０００９】
また、本発明の多連型ＬＣフィルタは、前記ＬＣフィルタが前記積層体内に複数個併設されていることを特徴とするものである。
【００１０】
さらに、本発明の多連型ＬＣフィルタは、前記複数個のＬＣフィルタが、隣接して併設される第１、第２のＬＣフィルタを含み、前記第１のＬＣフィルタのグランド側インダクタと前記第２のＬＣフィルタのグランド側インダクタとが共有化されていることを特徴とするものである。
【００１１】
またさらに、本発明の多連型ＬＣフィルタは、前記第１のＬＣフィルタのグランド電極と前記第２のＬＣフィルタのグランド電極とが接合部を介して接合され、前記接合部と前記グランド側インダクタの一端とがグランド側ビアホール導体を介して接続されていることを特徴とするものである。
【００１２】
さらにまた、本発明の多連型ＬＣフィルタは、前記第１のＬＣフィルタの容量電極とグランド電極との平面視における重なり領域の中心点から前記接合部と前記グランド側ビアホール導体との接続点までの距離と、前記第２のＬＣフィルタの容量電極とグランド電極との平面視における重なり領域の中心点から前記接続点までの距離とが等しいことを特徴とするものである。
【００１３】
また本発明の多連型ＬＣフィルタは、前記第１のＬＣフィルタと前記第２のＬＣフィルタとで共有化されている前記グランド側インダクタが、その一端が分割された第１端部と第２端部とを有し、前記第１端部が前記第１のＬＣフィルタのグランド電極に、前記第２端部が前記第２のＬＣフィルタのグランド電極にそれぞれ接続され、且つ、前記第１端部の長さと前記第２端部の長さとを等しくしたことを特徴とするものである。
【発明の効果】
【００１４】
本発明のＬＣフィルタによれば、複数の絶縁体層が積層された積層体と、該積層体の表面に形成されたグランド端子および一対の入出力端子と、前記積層体内に形成され、その両端が前記一対の入出力端子にそれぞれ接続された信号側インダクタと、前記積層体内に形成され、前記一対の入出力端子の少なくとも一方と接続された容量電極と、前記積層体内に形成され、前記容量電極と前記絶縁体層を介して対向するグランド電極と、前記積層体内に形成され、その一端が前記グランド電極に接続され、他端が前記グランド端子に接続されたグランド側インダクタとを有するようにしている。前記信号側インダクタと前記グランド側インダクタとを接続する容量を、前記容量電極と前記グランド電極との間で形成しているので、信号側インダクタおよび前記グランド側インダクタの形状を、前記容量を変化させることなく変更することができる。故に、信号側インダクタのインダクタンスと、グランド側インダクタのインダクタンスと、信号側インダクタとグランド側インダクタを接続する容量とを独立して設定することが可能となる。これによって所望の電気特性を容易に得ることが可能となり、特に、伝送特性中に発生する減衰極の周波数を制御することが容易になる。
【００１５】
また、本発明の多連型ＬＣフィルタは、前記ＬＣフィルタが前記積層体内に複数個併設されるようにしているので、各ＬＣフィルタにおいて、信号側インダクタのインダクタンスと、グランド側インダクタのインダクタンスと、信号側インダクタとグランド側インダクタを接続する容量とを独立して設定することが可能な、電気特性に優れた多連型ＬＣフィルタ素子とすることができる。
【００１６】
さらに、本発明の多連型ＬＣフィルタは、隣接して併設される第１のＬＣフィルタのグランド側インダクタと第２のＬＣフィルタのグランド側インダクタとが共有されるようにしてもよく、その場合は、より小型の多連型ＬＣフィルタとすることができる。
【００１７】
また、本発明の多連型ＬＣフィルタは、第１のＬＣフィルタのグランド電極と第２のＬＣフィルタのグランド電極とが接合部を介して接合され、前記接合部と前記グランド側インダクタの一端とがグランド側ビアホール導体を介して接続されていることから、容量電極とグランド電極との接続を、第１、第２のＬＣフィルタとで共有化することができる。これにより、第１、第２のＬＣフィルタのグランド側インダクタスを一致させることができ、電気特性に優れた多連型ＬＣフィルタとすることができる。また、ビアホール導体の個数を削減することができるため、小型化、生産性向上に供することが可能となる。
【００１８】
また、本発明の多連型ＬＣフィルタは、第１のＬＣフィルタの容量電極とグランド電極との平面視における重なり領域の中心点から前記接合部と前記グランド側ビアホール導体との接続点までの距離と、前記第２のＬＣフィルタの容量電極とグランド電極との平面視における重なり領域の中心点から前記接続点までの距離とが等しいことから、隣接する第１、第２のＬＣフィルタ間でグランド側インダクタのインダクタンスを一致させることが可能となり、各ＬＣフィルタの電気特性が一致した多連型ＬＣフィルタとすることができる。
【００１９】
またさらに、本発明の多連型ＬＣフィルタは、第１、第２のＬＣフィルタ間で共有されている前記グランド側インダクタの一端を第１端部と第２端部とに分割し、第１端部が第１のＬＣフィルタのグランド電極に、第２端部が第２のＬＣフィルタのグランド電極にそれぞれ接続され、且つ、第１端部の長さと第２端部の長さとを等しくしたことから、隣接する第１、第２ＬＣフィルタ間でグランド側インダクタのインダクタンスを一致させることが可能となり、各ＬＣフィルタの電気特性が一致した多連型ＬＣフィルタとすることができる。
【発明を実施するための最良の形態】
【００２０】
以下、本発明の圧電発振素子を添付の図面に基づいて詳細に説明する。
【００２１】
（第１の実施形態）
図１は本発明の第１の実施形態に係る多連型ＬＣフィルタを模式的に示す外観斜視図であり、図２は図１の多連型ＬＣフィルタの内部構造を模式的に示す分解斜視図であり、図３は本発明の第１の実施形態に係る多連型ＬＣフィルタの等価回路を示す図である。なお、本実施形態においては積層体の内部において横方向に第１、第２のＬＣフィルタを二組設け、計４つのＬＣフィルタが配置された多連型ＬＣフィルタを例に用いて説明する。以下、本実施形態においては、一方の組の第１、第２のＬＣフィルタを便宜上、第３、第４のＬＣフィルタと称する。
【００２２】
本実施形態の多連型ＬＣフィルタは、図１に示すように、第１〜第４のＬＣフィルタを内蔵した積層体１０の外表面に、第１のＬＣフィルタの入出力端子２１ａ、２１ｂ、第２のＬＣフィルタの入出力端子２２ａ、２２ｂ、第３のＬＣフィルタの入出力端子２３ａ、２３ｂ、第４のＬＣフィルタの入出力端子２４ａ、２４ｂ、第１および第２のＬＣフィルタで共有されるグランド端子３０ａ、第３および第４のＬＣフィルタで共有されるグランド端子３０ｂがそれぞれ形成されて成る。
【００２３】
そして、１つのＬＣフィルタは、両端が一対の入出力端子間に接続された信号側インダクタと、一端がグランド端子に接続されたグランド側インダクタとが、容量を介して接続されて構成されており、４つのＬＣフィルタを内蔵する多連型ＬＣフィルタの等価回路は図３に示すものとなる。すなわち、図３において、第１のＬＣフィルタは信号側インダクタＬｓ１とグランド側インダクタＬｇａとが容量Ｃ１により接続されて構成されており、同様に、第２のＬＣフィルタは信号側インダクタＬｓ２とグランド側インダクタＬｇａとが容量Ｃ２により接続されて構成されており、第３のＬＣフィルタは信号側インダクタＬｓ３とグランド側インダクタＬｇｂとが容量Ｃ３により接続されて構成されており、第４のＬＣフィルタは信号側インダクタＬｓ４とグランド側インダクタＬｇｂとが容量Ｃ４により接続されて構成されている。なお、グランド側インダクタＬｇａは第１のＬＣフィルタと第２のＬＣフィルタとで共有されており、グランド側インダクタＬｇｂは第３のＬＣフィルタと第４のＬＣフィルタとで共有されている。
【００２４】
図２に示すように、積層体１０は、絶縁体層１０ａ〜１０ｉが積層されて構成されており、絶縁体層１０ａ〜１０ｉの各層間には第１〜第４のＬＣフィルタを構成する各種電極が形成されている。
【００２５】
例えば、図２の積層体１０の最も右側に位置する第１のＬＣフィルタは、絶縁体層１０ｂ〜１０ｆ上に形成された信号側インダクタ電極４１ａ〜４１ｅと、絶縁体層１０ｇ上に形成された容量電極５１と、絶縁体層１０ｈ上に形成されたグランド電極６１と、絶縁体層１０ｉ上に形成されたグランド側インダクタ電極７０ａと、グランド電極６１とグランド側インダクタ電極７０ａとを接続するグランド側ビアホール導体８０ａと、信号側インダクタ電極４１ａ〜４１ｅを相互に接続する信号側ビアホール導体８１ａ〜８１ｄとから成る。そして、信号側インダクタ電極４１ａ〜４１ｅおよびこれらを接続する信号側ビアホール導体８１ａ〜８１ｄによって、所定の巻き数を有するコイル状の信号側インダクタＬｓ１が構成されている。さらに、スパイラル形状とされたグランド側インダクタ電極７０ａとグランド側ビアホール導体８０ａとでグランド側インダクタＬｇａが構成されており、絶縁体層１０ｇを介して対向する容量電極５１とグランド電極６１との間で容量Ｃ１が形成されている。また、信号側インダクタＬｓ１の両端部に位置する信号側インダクタ電極４１ｅ、４１ａは積層体１０の外表面に導出されて入出力端子２１ａ、２１ｂとそれぞれ接続されている。同様に、容量電極５１は入出力電極２１に、グランド側インダクタ電極７０ａはグランド端子３０ａにそれぞれ接続されている。
【００２６】
同様に、図２の積層体１０の右から２番目に位置する第２のＬＣフィルタは、絶縁体層１０ｂ〜１０ｆ上に形成された信号側インダクタ電極４２ａ〜４２ｅと、絶縁体層１０ｇ上に形成された容量電極５２と、絶縁体層１０ｈ上に形成されたグランド電極６２と、絶縁体層１０ｉ上に形成されたグランド側インダクタ電極７０ａと、グランド電極６２とグランド側インダクタ電極７０ａとを接続するグランド側ビアホール導体８０ａと、インダクタ電極４２ａ〜４２ｅを接続する信号側ビアホール導体（図示せず）とから成る。そして、信号側インダクタ電極４２ａ〜４２ｅおよびこれらを接続する信号側ビアホール導体（図示せず）によって、所定の巻き数を有するコイル状の信号側インダクタＬｓ２が構成されている。さらに、スパイラル形状とされたグランド側インダクタ電極７０ａとグランド側ビアホール導体８０ａとでグランド側インダクタＬｇａが構成されており、絶縁体層１０ｇを介して対向する容量電極５２とグランド電極６２との間で容量Ｃ２が形成されている。また、信号側インダクタＬｓ２の両端部に位置する信号側インダクタ電極４２ｅ、４２ａは積層体１０の外表面に導出されて入出力端子２２ａ、２２ｂとそれぞれ接続されており、同様に、容量電極５２は入出力電極２２ａに接続されている。
【００２７】
同様に、図２の積層体１０の右から３番目に位置する第３のＬＣフィルタは、絶縁体層１０ｂ〜１０ｆ上に形成された信号側インダクタ電極４３ａ〜４３ｅと、絶縁体層１０ｇ上に形成された容量電極５３と、絶縁体層１０ｈ上に形成されたグランド電極６３と、絶縁体層１０ｉ上に形成されたグランド側インダクタ電極７０ｂと、グランド電極６３とグランド側インダクタ電極７０ｂとを接続するグランド側ビアホール導体８０ｂと、インダクタ電極４３ａ〜４３ｅを接続する信号側ビアホール導体（図示せず）とから成る。そして、信号側インダクタ電極４３ａ〜４３ｅおよびこれらを接続する信号側ビアホール導体（図示せず）によって、所定の巻き数を有するコイル状の信号側インダクタＬｓ３が構成されている。さらに、スパイラル形状とされたグランド側インダクタ電極７０ｂとグランド側ビアホール導体８０ｂとでグランド側インダクタＬｇｂが構成されており、絶縁体層１０ｇを介して対向する容量電極５３とグランド電極６３との間で容量Ｃ３が形成されている。また、信号側インダクタＬｓ３の両端部に位置する信号側インダクタ電極４３ｅ、４３ａは積層体１０の外表面に導出されて入出力端子２３ａ、２３ｂとそれぞれ接続されている。同様に、容量電極５３は入出力電極２３ａに、グランド側インダクタ電極７０ｂはグランド端子３０ｂにそれぞれ接続されている。
【００２８】
同様に、図２の積層体１０の右から４番目に位置する第４のＬＣフィルタは、絶縁体層１０ｂ〜１０ｆ上に形成された信号側インダクタ電極４４ａ〜４４ｅと、絶縁体層１０ｇ上に形成された容量電極５４と、絶縁体層１０ｈ上に形成されたグランド電極６４と、絶縁体層１０ｉ上に形成されたグランド側インダクタ電極７０ｂと、グランド電極６４とグランド側インダクタ電極７０ｂとを接続するグランド側ビアホール導体８０ｂと、インダクタ電極４４ａ〜４４ｅを接続する信号側ビアホール導体（図示せず）とから成る。そして、信号側インダクタ電極４４ａ〜４４ｅおよびこれらを接続する信号側ビアホール導体（図示せず）によって、所定の巻き数を有するコイル状の信号側インダクタＬｓ４が構成されている。さらに、スパイラル形状とされたグランド側インダクタ電極７０ｂとグランド側ビアホール導体８０ｂとでグランド側インダクタＬｇｂが構成されており、絶縁体層１０ｇを介して対向する容量電極５４とグランド電極６４との間で容量Ｃ４が形成されている。また、信号側インダクタＬｓ２の両端部に位置する信号側インダクタ電極４４ｅ、４４ａは積層体１０の外表面に導出されて入出力端子２４ａ、２４ｂとそれぞれ接続されており、同様に、容量電極５４は入出力電極２４ａに接続されている。
【００２９】
なお、グランド側インダクタ電極７０ａおよびグランド側ビアホール導体８０ａは第１、第２のＬＣフィルタで共有されており、グランド側インダクタ電極７０ｂおよびグランド側ビアホール導体８０ｂは第３、第４のＬＣフィルタで共有されている。また、グランド電極６１、６２が接合されて、その接合部に信号側ビアホール導体８０ａが接続されており、同様に、グランド電極６３、６４が接合されて、その接合部に信号側ビアホール導体８０ｂが接続されている。
【００３０】
また、信号側インダクタＬｓ１、Ｌｓ２、Ｌｓ３、Ｌｓ４のインダクタンスが等しくなるように、信号側インダクタ電極４１ａ〜４１ｅ、４２ａ〜４２ｅ、４３ａ〜４３ｅ、４４ａ〜４４ｅの形状はほぼ等しく設定される。同様に、グランド側インダクタＬｇａ、Ｌｇｂのインダクタンスが等しくなるように、グランド側インダクタ電極７０ａ、７０ｂの形状も等しく設定される。さらに、容量Ｃ１、Ｃ２、Ｃ３、Ｃ４の値が等しくなるように、容量電極５１、５２、５３、５４の形状、グランド電極６１、６２、６３、６４の形状、容量電極５１〜５４とグランド電極６１〜６４との位置関係もほぼ等しく設定される。
【００３１】
このようにして、図３の等価回路で示されるような、４つのＬＣフィルタを内蔵した多連型ＬＣフィルタが構成されている。
【００３２】
積層体１０は、複数個の絶縁体層１０ａ〜１０ｉを積層した構成となっており、絶縁体層の材料としては、例えば、誘電体セラミック材料、焼結助剤、低融点ガラス材料等が用いられる。誘電体セラミック材料としては、例えばＴｉＯ２−Ｎｄ２Ｏ３−ＢａＴｉＯ３系等の高誘電率のセラミック材料が用いられる。これらのセラミック材料は焼結温度が低く、同時焼成により得られる積層体であっても後述するような高導電率材料を内蔵することができるので、インピーダンスの低い伝送線路を備えた部品とすることが可能である。また焼結温度を低くするために用いる焼結助剤としては、例えば、ＢｉＶＯ４、ＣｕＯ、Ｌｉ２Ｏ、Ｂ２Ｏ３等が用いられ、各誘電体層の厚みは、例えば５μｍ〜３００μｍに設定される。
【００３３】
各絶縁体層１０ａ〜１０ｉに形成される各種電極およびビアホール導体の材料としては、Ａｇ、Ａｇ−Ｐｄ、Ａｇ−Ｐｔ等のＡｇを主成分とする導電材料またはＣｕを主成分とする導電材料が用いられ、各種電極の厚みは、例えば５μｍ〜２５μｍに形成される。
【００３４】
なお、上述した積層体１０は、従来周知のセラミックグリーンシート積層法により製作される。具体的には、まずセラミック原料粉末に適当な有機溶剤等を添加・混合して泥漿状になすとともに、従来周知のドクターブレード法等を用いることによってセラミックグリーンシートを形成し、次に得られたセラミックグリーンシートに従来周知の印刷法等によって各種電極やビアホール導体を形成してこれらを積層・圧着し、しかる後、この積層体を所定の大きさに分割して、８００〜１０５０℃で焼成することにより製作される。その後、得られた積層体１０の角部には、マイクロクラックの除去や欠けの発生を防止する目的で、バレル研磨等による面取りが施される。
【００３５】
その後に積層体１０の表面に形成するグランド端子や入出力端子は、Ａｇ、Ａｇ−Ｐｄ、Ａｇ−Ｐｔ等のＡｇを主成分とする導電材料等から成り、かかる導電材料を用いて作製した導体ペーストを積層体１０の表面に従来周知のディップ法やスクリーン印刷等によって所定パターンに塗布し、これを焼成することによって形成され、その表面には必要に応じてＮｉメッキやＡｕメッキ，Ｓｎメッキ，半田メッキ等のメッキ処理が施される。
【００３６】
本実施形態の多連型ＬＣフィルタは、信号側インダクタＬｓ１〜Ｌｓ４とグランド側インダクタＬｇａ、Ｌｇｂとを接続する容量Ｃ１〜Ｃ４を、容量電極５１〜５４とグランド電極６１〜６４との間で形成しているので、信号側インダクタＬｓ１〜Ｌｓ４およびグランド側インダクタＬｇａ、Ｌｇｂの形状を、容量Ｃ１〜Ｃ４を変化させることなく変更することができる。故に、信号側インダクタＬｓ１〜Ｌｓ４のインダクタンスと、グランド側インダクタＬｇａ、Ｌｇｂのインダクタンスと、容量Ｃ１〜Ｃ４とを独立して設定することが可能となる。これによって所望の電気特性を容易に得ることが可能となり、特に、伝送特性中に発生する減衰極の周波数を制御することが容易になる。
【００３７】
また、本実施形態の多連型ＬＣフィルタにおいては、グランド側インダクタ電極７０ａおよびグランド側ビアホール導体８０ａから成るグランド側インダクタＬｇａは第１、第２のＬＣフィルタで共有されており、グランド側インダクタ電極７０ｂおよびグランド側ビアホール導体８０ｂから成るグランド側インダクタＬｇｂは第３、第４のＬＣフィルタで共有されている。よって、これらの共有が無い場合に比べて、グランド側インダクタ電極およびグランド側ビアホール導体の個数を削減することが可能となり、より小型の多連型ＬＣフィルタとすることができる。さらに、第１のＬＣフィルタにおけるグランド側インダクタＬｇａのインダクタンスと第２のＬＣフィルタにおけるグランド側インダクタＬｇａのインダクタンスとを一致させることが容易となり、同様に、第３のＬＣフィルタにおけるグランド側インダクタＬｇｂのインダクタンスと第４のＬＣフィルタにおけるグランド側インダクタＬｇｂのインダクタンスとを一致させることが容易となる。
【００３８】
また、本実施形態の多連型ＬＣフィルタは、第１、第２のＬＣフィルタのグランド電極６１、６２が接合されて、その接合部９０ａにグランド側ビアホール導体８０ａが接続されている。また第３、第４のＬＣフィルタのグランド電極６３、６４が接合されて、その接合部９０ｂにグランド側ビアホール導体８０ｂが接続されている。
【００３９】
図４は、容量電極５１〜５４、グランド電極６１〜６４、グランド側ビアホール導体８０ａの接続点８０ａｐ、グランド側ビアホール導体８０ｂの接続点８０ｂｐの形状および相互の平面的な位置関係を示す平面図である。本発明においては、第１のＬＣフィルタの容量電極５１とグランド電極６１との平面視における重なり領域の中心点Ｃ１からグランド側ビアホール導体８０ａの接続点８０ａｐまでの距離Ｌ１と、第２のＬＣフィルタの容量電極５２とグランド電極６２との平面視における重なり領域の中心点Ｃ２からグランド側ビアホール導体８０ａの接続点８０ａｐまでの距離Ｌ２とを、等しくしておくことが好ましい。
【００４０】
上記のＬ１とＬ２とが等しくなるように容量電極５１、５２及びグランド電極６１、６２を配置することにより、グランド側インダクタＬｇａのインダクタンスに加算されるグランド電極６１、６２および両者の接合部が有するインダクタ成分を一致させることでき、第１のＬＣフィルタにおけるグランド側インダクタＬｇａと、第２のＬＣフィルタにおけるグランド側インダクタＬｇａとを厳密に一致させることが可能となる。同様に、第３のＬＣフィルタの容量電極５３とグランド電極６３との平面視における重なり領域の中心点Ｃ３からグランド側ビアホール導体８０ｂの接続点８０ｂｐまでの距離Ｌ３と、第４のＬＣフィルタの容量電極５４とグランド電極６４との平面視における重なり領域の中心点Ｃ４からグランド側ビアホール導体８０ｂの接続点８０ｂｐまでの距離Ｌ４とを等しくしておくことが好ましい。これによって、各ＬＣフィルタの電気特性が厳密に一致した多連型ＬＣフィルタとすることができる。
【００４１】
本発明において、Ｌ１とＬ２とが等しいとは、｜Ｌ１−Ｌ２｜≦１００μｍの範囲にあることをいう（Ｌ３とＬ４と関係についても同様）。また、第１のＬＣフィルタの容量電極５１とグランド電極６１との平面視における重なり領域の中心点Ｃ１とは、容量電極５１の入出力端子への引き出し部を除いて概略矩形状とみなしたときの中心点のことをいう（Ｃ２、Ｃ３、Ｃ４についても同様）。
【００４２】
また、グランド電極６１を容量電極５１よりもひと回り大きくなるように形成し、且つ平面視において、グランド電極６１の外周が容量電極５１の外周よりも外側に位置するように配置することが好ましい。これにより、絶縁体層の積層ずれや各電極の印刷ずれなどが生じても、グランド電極６１の外周が容量電極５１の外周よりも外側に位置している分、グランド電極６１と容量電極５１との対向面積が一定に保たれるため、容量が変動するのを防止し、電気的特性のばらつきを小さくすることができる。具体的には、グランド電極６１の外周を容量電極５１の外周よりも、５０〜１００μｍだけ外側に位置させておくと良い。他のグランド電極６２、６３、６４および容量電極５２、５３、５４についても同様に、グランド電極を容量電極よりもひと回り大きくなるように形成し、且つ平面視において、グランド電極の外周が容量電極の外周よりも外側に位置するように配置することが好ましい。
【００４３】
（第２の実施形態）
次に本発明の第２実施形態について説明する。なお、本実施形態においては前述した実施形態と異なる点についてのみ説明し、同様の構成要素については同一の参照符号を用いて重複する説明を省略するものとする。
【００４４】
図５は本発明の第２の実施形態に係る圧電発振素子を模式的に示す分解斜視図である。
【００４５】
本実施形態の多連型ＬＣフィルタの第１の特徴的な部分は、グランド電極６１、６２、６３、６４が接合されていない点である。第２の特徴的な部分は、グランド側インダクタ電極７０ａの一端が第１端部１０１と第２端部１０２とに分割されて、グランド側ビアホール導体８０ｃ、８０ｄによってグランド電極６１、６２にそれぞれ接続されており、同様に、グランド側インダクタ電極７０ｂの一端が第１端部１０３と第２端部１０４とに分割されて、グランド側ビアホール導体８０ｅ、８０ｆによってグランド電極６３、６４にそれぞれ接続されている点である。第３の特徴的な部分は、第１端部１０１の長さと第２端部１０２の長さとが等しくされていることである。
【００４６】
このような構造によっても、第１、第２のＬＣフィルタにおけるグランド側インダクタＬｇａのインダクタンス、および、第３、第４のＬＣフィルタにおけるグランド側インダクタＬｇｂのインダクタンスを容易に一致させることが可能となる。これによって、各ＬＣフィルタの電気特性が一致した多連型ＬＣフィルタとすることができる。
【００４７】
（変形例）
なお、本発明は上述した実施形態に限定されるものではなく、本発明の要旨を逸脱しない範囲において種々の変更、改良が可能である。
【００４８】
例えば、上述した実施形態においては、グランド側インダクタ電極７０ａ、７０ｂの形状をスパイラル状としたが、図６に示すようにミアンダ状としても構わない。
【００４９】
また上述した実施形態においては、隣接するＬＣフィルタのグランド電極同士を各グランド電極の長手方向の幅よりも幅が狭い接合部９０ａ、９０ｂにより接合するようにしたが、図７に示す如く、グランド電極の長手方向に幅と同一の幅にして接続するようにしてもよい。この場合、実質的に矩形状のパターンとなり、簡単な形状となるためグランド電極を形成する際、印刷にじみ等を少なくし、容量およびインダクタンスのばらつきを抑えることができる。また、グランド電極６１とグランド電極６２の結合部が有するインダクタ成分及び、グランド電極６３とグランド電極６４の結合部が有するインダクタ成分を低減することができ、第１のＬＣフィルタにおけるグランド側インダクタＬｇａと、第２のＬＣフィルタにおけるグランド側インダクタＬｇａとをより一層厳密に一致させることができるとともに、第３のＬＣフィルタにおけるグランド側インダクタＬｇｂと、第４のＬＣフィルタにおけるグランド側インダクタＬｇｂとをより一層厳密に一致させることができる。
【００５０】
また、上述した実施形態においては、グランド側インダクタＬｇａのインダクタンスに加算されるグランド電極６１、６２および両者の接合部が有するインダクタ成分を一致させるために、第１のＬＣフィルタの容量電極５１とグランド電極６１との平面視における重なり領域の中心点Ｃ１からグランド側ビアホール導体８０ａの接続点８０ａｐまでの距離Ｌ１と、第２のＬＣフィルタの容量電極５２とグランド電極６２との平面視における重なり領域の中心点Ｃ２からグランド側ビアホール導体８０ａの接続点８０ａｐまでの距離Ｌ２とを等しくするようにしたが、一方の重なり領域と他方の重なり領域とを、接続点８０ａｐに対し点対称に配置するようにしてもよい。
【００５１】
また、上述した実施形態においては、信号側インダクタＬｓ１〜Ｌｓ４をコイル状としたが、スパイラル状やミアンダ状としても構わない。特に高周波領域で用いる多連型ＬＣフィルタの場合は必要なインダクタンスが小さくなるので、スパイラル状やミアンダ状のインダクタでも対応可能となる。
【図面の簡単な説明】
【００５２】
【図１】本発明の第１実施形態に係る多連型ＬＣフィルタを模式的に示す外観斜視図である。
【図２】本発明の第１実施形態に係る多連型ＬＣフィルタの内部構造を模式的に示す分解斜視図である。
【図３】本発明の第１実施形態に係る多連型ＬＣフィルタの等価回路図である。
【図４】本発明の第１実施形態に係る多連型ＬＣフィルタにおける、容量電極、グランド電極、ビアホール導体の接続点の形状および平面的な位置関係を模式的に示す平面図である。
【図５】本発明の第２実施形態に係る多連型ＬＣフィルタの内部構造を模式的に示す分解斜視図である。
【図６】本発明の変形例に係る多連型ＬＣフィルタの内部構造を模式的に示す分解斜視図である。
【図７】本発明の変形例に係る多連型ＬＣフィルタにおける容量電極、グランド電極、ビアホール導体の接続点の形状および平面的な位置関係を模式的に示す平面図である。
【符号の説明】
【００５３】
１０・・・積層体
１０ａ〜１０ｉ・・・絶縁体層
２１ａ〜２４ａ、２１ｂ〜２４ｂ・・・入出力端子
３０ａ、３０ｂ・・・グランド端子
４１ａ〜４１ｅ、４２ａ〜４２ｅ、４３ａ〜４３ｅ、４４ｋ〜４４ｅ・・・信号側インダクタ電極
５１〜５４・・・容量電極
６１〜６４・・・グランド電極
７０ａ、７０ｂ・・・グランド側インダクタ電極
８０ａ〜８０ｅ、８１ａ〜８１ｄ・・・ビアホール導体
Ｌｓ１〜Ｌｓ４・・・信号側インダクタ
Ｌｇａ、Ｌｇｂ・・・グランド側インダクタ
Ｃ１〜Ｃ４・・・容量
【図１】
2006311506.tif 000003
【図２】
2006311506.tif 000004
【図３】
2006311506.tif 000005
【図４】
2006311506.tif 000006
【図５】
2006311506.tif 000007
【図６】
2006311506.tif 000008
【図７】
2006311506.tif 000009